【手続補正書】
【提出日】平成17年8月3日(2005.8.3)
【手続補正１】
【補正対象書類名】明細書
【補正対象項目名】特許請求の範囲
【補正方法】変更
【補正の内容】
【特許請求の範囲】
【請求項１】  通信デバイスの複数のセットに対する信号を有する信号ストリームを送信する通信システムにおいて、該信号ストリームから第１の通信デバイスのセットに対する信号を抽出する方法であって、該方法は、
（ａ） 該信号ストリームにおける信号のセットの場所を識別する情報を格納するステップであって、該信号のセットが該第１の通信デバイスのセットに対する少なくとも１つの信号のセットを含む、ステップと、
（ｂ） 受信された信号ストリームにおける受信された信号のセットの場所を識別する情報と、該場所を識別する複数の格納されている情報とを同時に比較するステップと、
（ｃ） 第１の信号のセットの場所を識別する情報が、該第１の通信デバイスのセットに対する該信号のセットの場所を識別する該格納されている情報と一致する場合に、該信号ストリームから該第１の信号のセットを抽出するステップと、
（ｄ） ルーティング信号を生成するステップであって、該生成するステップが、メモリアドレス信号および制御信号を生成するステップを含む、ステップと、
（ｅ） 該ルーティング信号に基づいて、該第１の通信デバイスのセットに該抽出された第１の信号のセットをルーティングするステップと
を包含し、
該ルーティングするステップが、メモリに該抽出された第１の信号のセットを格納するために該生成されたメモリ信号を用いることを包含する、方法。
【請求項２】  前記ルーティングするステップが、前記第１の信号のセットを抽出するために前記メモリを読み出し、前記第１の通信デバイスのセットに該読み出された第１の信号のセットを転送するステップをさらに包含する、請求項３に記載の方法。
【請求項３】  異なる通信アプリケーションに対する信号を有する信号ストリームを送信する通信システムにおいて、受信された信号ストリームから第１のタイプの通信アプリケーションに対する信号を抽出する方法であって、該方法は、
（ａ） 該受信された信号ストリームにおける該第１のタイプのアプリケーションに対する信号のセットの場所を識別する位置識別信号を格納するステップと、
（ｂ） 該受信された信号ストリームにおける各受信された信号のセットに対する位置識別信号を生成するステップと、
（ｃ） 各受信された信号のセットに対する該生成された位置識別信号と、複数の該格納されている位置識別信号とを同時に比較するステップと、
（ｄ） 該生成された位置識別信号のうちの１つが該格納されている位置識別信号のうちの１つと一致する場合に、該信号ストリームから該生成された位置識別信号に対応する信号のセットを抽出するステップと、
（ｅ） ルーティング信号を生成するステップであって、該生成するステップが、メモリアドレス信号および制御信号を生成するステップを含む、ステップと、
（ｆ） 該ルーティング信号に基づいて、該第１の通信デバイスのセットに該抽出された第１の信号のセットをルーティングするステップと
を包含し、
該ルーティングするステップが、メモリに該抽出された第１の信号のセットを格納するために該生成されたメモリ信号を用いることを包含する、方法。
【請求項４】  通信デバイスの複数のセットに対する信号を有する信号ストリームを送信する通信システムにおいて、該信号ストリームへ第１の通信デバイスのセットに対する信号を挿入する方法であって、該方法は、
（ａ） 該第１の通信デバイスのセットからの送信のために各信号のセットに対して、該信号ストリームにおける該信号のセットの場所を識別するポインタを格納するステップと、
（ｂ） 該信号ストリームにおける信号のセットの場所を識別するポインタを生成するステップと、
（ｃ） 各生成されたポインタと、該複数の格納されているポインタとを同時に比較するステップと、
（ｄ） 生成されたポインタが、格納されているポインタと一致する場合に、メモリアドレス信号および制御信号を生成し、該生成されたメモリ信号を用いて、メモリから該一致したポインタに対応する信号のセットを取り出し、該信号ストリームへ該一致した格納されているポインタに対応する信号のセットを挿入するステップと
を包含する、方法。
【請求項５】  複数の通信デバイスのセットに対する信号を有する信号ストリームを送信する通信システムにおいて、該信号ストリームへ第１の通信デバイスのセットに対する信号を挿入する方法であって、該方法は、
（ａ） 該第１の通信デバイスのセットからの送信のために各信号のセットに対して、該信号のセットを送信するために時間周期を識別するポインタを格納するステップと、
（ｂ） 該信号ストリームを送信しながら、信号のセットを送信するために時間周期を識別するポインタを生成するステップと、
（ｃ） 各生成されたポインタと、該格納されている複数のポインタとを同時に比較するステップと、
（ｄ） 生成されたポインタが、格納されているポインタと一致する場合に、メモリアドレス信号および制御信号を生成し、該生成されたメモリ信号を用いて、該第１の通信デバイスのセットからの該一致したポインタに対応する信号のセットをメモリから取り出し、該信号ストリームへ該一致した格納されているポインタに対応する該信号のセットを挿入するステップと
を包含する、方法。
【請求項６】  時分割デマルチプレクス方法であって、該方法は、信号ストリームから抽出される必要がある信号のセットを識別するために信号ストリームにおける信号のセットの場所を識別する情報を格納する内容アドレシング可能メモリと、ルーティング信号を生成し、該ルーティング信号に基づいて第１の通信デバイスのセットに該抽出された信号のセットをルーティングするメモリインターフェースとを用いるステップであって、該生成することは、メモリアドレス信号および制御信号を生成することを包含し、該ルーティグすることは、該生成されたメモリ信号を用いて、メモリに該抽出された信号を格納することを包含する、方法。
【請求項７】  時分割マルチプレクス方法であって、該方法は、時間周期を識別するために、信号ストリームへ信号のセットを挿入する内容アドレシング可能なメモリと、メモリアドレス信号および制御信号を生成し、該生成されたメモリ信号を用いて、メモリから該信号ストリームへ挿入されるべき信号のセットを取り出すメモリインターフェースとを用いるステップを包含する、方法。
【請求項８】  光ファイバ遠隔通信ネットワークにおいて、テレフォニーアプリケーションに対する信号と、テレフォニーでないアプリケーションに対する信号とを有する信号ストリームを受信する光ネットワークユニットであって、該光ネットワークユニットは内容アドレシング可能メモリと、該内容アドレシング可能メモリに結合されているメモリインターフェースとを有し、該メモリは該受信された信号ストリームにおける該テレフォニーアプリケーションに対する信号の場所を識別する情報を格納し、該メモリインターフェースは、メモリアドレス信号および制御信号を生成し、該生成されたメモリ信号を用いて、メモリにおける該受信された信号ストリームから、抽出された信号を格納する、光ネットワークユニット。
【請求項９】  複数の通信デバイスのセットに対する信号を有する信号ストリームを送信する通信システムにおいて、該信号ストリームから第１の通信デバイスのセットに対する信号を抽出するための装置であって、該装置は、
（ａ） 該第１の通信デバイスのセットに対する信号のセットの場所であって、該信号ストリームにおける該場所を識別する位置識別信号を格納するメモリと、
（ｂ） 該メモリに結合されているコンパレータであって、各受信された信号のセットに対して、該受信された信号のセットの場所を識別する位置識別信号を受信し、各受信された位置識別信号と、該格納されている複数の位置識別信号とを同時に比較し、第１の信号のセットの位置識別信号が、格納されている位置識別信号と一致する場合に、該コンパレータは、該第１の信号のセットが該信号ストリームから抽出されるべきであると示す信号を生成する、コンパレータと、
（ｃ） 該コンパレータに結合されているメモリインターフェースと
を備え、
該コンパレータからの該信号に応答して、該メモリインターフェースは、該信号ストリームから該第１の信号のセットを抽出し、抽出された信号を格納するメモリに該抽出された信号を格納するためにメモリアドレス信号および制御信号を生成する、装置。
【請求項１０】  複数の通信デバイスの複数のセットに対する信号を有する信号ストリームを送信する通信システムにおいて、該信号ストリームへ第１の通信デバイスのセットからの信号を挿入する装置であって、該装置は、
（ａ） 該第１の通信デバイスのセットからの信号のセットに対する場所であって、該信号ストリームにおける該場所を識別する位置識別信号を格納するメモリと、
（ｂ） 該メモリに結合されているコンパレータであって、該信号ストリームを送信しながら、該信号ストリームにおける該信号のセットの場所を識別する位置識別信号を受信し、各受信された位置識別信号と、該格納されている複数の位置識別信号とを同時に比較し、位置識別信号が第１の信号のセットの格納されている位置識別信号と一致する場合に、該コンパレータは、該第１の信号のセットが該信号ストリームに挿入されるべきあると示す信号を生成する、コンパレータと、
（ｃ） 該コンパレータに結合されているメモリインターフェースと
を備え、
該コンパレータからの該信号に応答して、該メモリインターフェースは、メモリアドレス信号および制御信号を生成し、該メモリ信号を用いて、該第１の信号のセットを格納するメモリから該第１の信号のセットを取り出す、装置。
【請求項１１】  信号ストリームにおける信号のセットの場所を識別して、該信号ストリームから抽出される必要がる信号のセットを識別する情報を格納する内容アドレシング可能メモリと、ルーティング信号を生成し、該ルーティング信号に基づいて、第１の通信デバイスのセットに該抽出された信号のセットをルーティングするメモリインターフェースとを備え、該生成することは、メモリアドレス信号および制御信号を生成することを包含し、該ルーティングすることは、該生成されたメモリ信号を用いて、メモリに該抽出された信号を格納することを包含する、時分割デマルチプレクサ。
【請求項１２】  時間周期を識別するために、信号ストリームへ信号のセットを挿入する内容アドレスシング可能メモリと、メモリアドレス信号および制御信号を生成し、該生成されたメモリ信号を用いて、該信号ストリームへ挿入されるべき該信号セットをメモリから取り出すメモリインターフェースとを備えた、時分割マルチプレクサ。
【請求項１３】  前記ルーティングするステップは、前記メモリを読み出して、前記第１の信号のセットを抽出し、前記第１の通信デバイスのセットに該読み出された第１の信号のセットを転送するステップをさらに包含する、請求項３に記載の方法。
【請求項１４】  前記ルーティングするステップは、前記メモリのアドレスを生成し、該アドレスを用いて、該メモリを読み出し、該メモリから前記第１の信号のセットを抽出するステップをさらに包含する、請求項１３に記載の方法。
【請求項１５】  前記メモリに対するアドレスを生成し、該アドレスを用いて、前記メモリに前記信号のセットを格納するステップをさらに包含する、請求項４に記載の方法。
【請求項１６】  前記信号ストリームへ前記メモリから取り出された前記信号セットを挿入する前に、遅延バッファにおける該メモリから取り出された該信号のセットを格納することをさらに包含する、請求項１５に記載の方法。
【請求項１７】  前記信号ストリームへ前記メモリから取り出された前記信号セットを挿入する前に、遅延バッファにおける該メモリから取り出された該信号のセットを格納することをさらに包含する、請求項５に記載の方法。
【請求項１８】  前記メモリに対するアドレスを生成し、該アドレスを用いて、該メモリに前記信号のセットを格納するステップをさらに包含する、請求項１７に記載の方法。
【請求項１９】  前記メモリを読み出して、前記第１の信号のセットを抽出し、前記第１の通信デバイスの信号のセットに該読み出された第１の信号のセットを転送するインターフェースをさらに備えた、請求項９に記載の装置。
【請求項２０】  ポインタテーブルに前記メモリのアドレスを生成させるポインタ制御をさらに備え、該ポインタ制御は、該インターフェースに該アドレスを供給して、該メモリを読み出し、該メモリから前記第１の信号のセットを抽出する、請求項１９に記載の装置。
【請求項２１】  前記第１の通信デバイスから前記メモリに前記第１の信号のセットをルーティングし、該メモリに該第１の信号のセットを書込むインターフェースをさらに備えた、請求項１０に記載の装置。
【請求項２２】  ポインタテーブルに前記メモリのアドレスを生成させるポインタ制御をさらに備え、該ポインタ制御は、該インターフェースに該アドレスを供給して、該メモリに前記第１の信号のセットをルーティングする、請求項２１に記載の装置。
【請求項２３】  前記第１の信号のセットが前記信号ストリームに挿入される前に、前記メモリから取り出された該第１の信号のセットを格納する遅延バッファをさらに備えた、請求項２２に記載の装置。